(57)【要約】【課題】　簡易な回転式光学エンコーダにより比較的多数の符合パターンを提供すること。【解決手段】　写真フィルム用カメラは、露光開口を取り囲む露光支持体を有する本体を有する。本体は、エンコーダ光路を画成する。エンコーダは、エンコーダ光路に位置合わせされて本体内に搭載される。エンコーダは、回転軸を有する。エンコーダは、エンコーダ光路の部分を占めるマーカーを有する。マーカーは、対のサブユニットを有する。サブユニットは、前記回転軸に関して対置される。ドライブがエンコーダに結合される。ドライブは、一次位置及び複数の二次位置間で前記回転軸まわりに前記エンコーダを選択的に回転させる。サブユニットは、双方とも、前記位置の全てにおいてエンコーダ内に配置される。【選択図】　図１
2004133466.tif 000002
【特許請求の範囲】
【請求項１】
　露光開口を取り囲む露光支持体を有し、エンコーダ光路を画成する本体と、
　本体に前記エンコーダ光路に対して整合して搭載されるエンコーダであって、回転軸を有し、前記エンコーダ光路の一部を占有するマーカーを有し、該マーカーが、前記回転軸を基準に対向する対のサブユニットを有する、エンコーダと、
　前記エンコーダに結合され、一次位置及び複数の二次位置間で前記回転軸まわりに前記エンコーダを選択的に回転させるドライブとを含み、全ての前記位置において、前記サブユニットの双方が前記エンコーダ光路に配置される、写真フィルム用カメラ。
【請求項２】
　縁部が露光開口を取り囲む露光支持体を有するフィルムホルダーを有し、前記縁部と交わるエンコーダ光路を有する本体と、
　前記縁部に配置されるエンコーダであって、回転軸を有し、マーカー及びこれに隣接するフィールドを有し、該マーカーが、対置され前記回転軸に関して回転非対称である対のサブユニットを有し、前記サブユニットの双方が、前記エンコーダ光路に連続的に配置される、エンコーダと、
　前記本体に配置されるドライブであって、複数の異なる位置の何れかへと、 前記露光支持体に対して、前記回転軸まわりに前記エンコーダを選択的に回転させるドライブと、を含むカメラ。
【請求項３】
　写真フィルムのフレームに露光開口を通して光画像を送り、
　前記光画像を送るのに関連して、エンコーダの回転軸に対して回転非対称であるマーカーを有するエンコーダを、エンコーダの回転軸に対する選択した角度位置まで回転させ、
　前記回転に後続して、写真フィルムに前記マーカーを通して光を送り、
　前記マーカーを通して光を送る間、前記エンコーダを前記角度位置に維持する、撮影方法。
【発明の詳細な説明】
【技術分野】
【０００１】
　本発明は、写真及び写真装置及び方法、特に、回転式光学エンコーダを有するカメラに関する。
【背景技術】
【０００２】
　写真フィルム上の光学的に記録された符号は、印刷や他の機能を制御するために使用される。特許文献１は、光学的符合について言及し、光学的符合を記録するために写真対象からの反射光若しくはカメラの光源からの直接的な光を使用することが知られていることを示す。この特許文献１は、また、符合を書き込む為の周辺光の使用では、ある照明条件下において記録された情報が識別困難になりうるという欠点があることを記す。
【０００３】
　使い捨てカメラの組み立て前にフィルム上に符合を事前記録することが知られている。また、写真撮影時のカメラ状態に基づく選択画像フレームに対する記録符合も知られている。これらの双方を組み合わせることも知られている（例えば、特許文献２）。第1の符合は、組み立て前にフィルム上に事前に記録され、第2の符合が、選択スイッチの位置に基づいて選択フィルムフレームに付加される。フィルムユニット内の全ての画像に付加される符合は、繰り返すのではなく、全てのフレームに付加されるように記録できる。特許文献３は、可視バーコードでのフィルムユニットの外部上の広範な情報の記録を開示する。
【０００４】
　符合は、種々の位置に配置できる。特許文献２は、フィルムフレーム間のフィルム余白での光学的符合の配置を開示する。特許文献４は、各々のフィルムフレーム内若しくはその隣の、画像の横方向隣での光学的符合の配置を開示する。特許文献５は、疑似パノラマ及び疑似写真電送最終画像フォーマットのために、対のコード信号プレートと連係して移動する対の摺動可能なビューファインダマスクを有する使い捨てカメラを開示する。コード信号プレートは、各々のビューファインダマスクがビューファインダ内の位置にあるときに露光開口の一部をマスクする。一方のコード信号プレートは、１つのスロットを有するように示されている。他方のコード信号プレートは、２つのスロットを有するように示されている。（画像対象物は、スロットを通して見える）。最終画像は、コード信号プレートにより作成されたパターンをトリミングする。
【０００５】
　仕上げ指示を提供するためにフィルム上の光学符合を使用することは広く知られている。特許文献６は、回転ディスクを有するカメラを開示する。ディスクは、中心軸まわりの異なる位置に3つの異なるパターンを有する。パターンは、１つの穴、2つの穴、3つの穴である。ディスクは、特定の符合に対して回転され、光源からの光は、フィルム上に符合を露光するために通過する。疑似ズームの効果を示すビューファインダエンコーダの使用も開示されている。
【特許文献１】米国特許第5,740,479号
【特許文献２】米国特許第6,332,059号
【特許文献３】米国特許第5,761,558号
【特許文献４】米国特許第5,587,752号
【特許文献５】JP4-328537（1999年11月17日公開）
【特許文献６】JP54-26721
【発明の開示】
【発明が解決しようとする課題】
【０００６】
　従って、比較的多数の符合を提供する簡易な、カメラのフィルムストリップ符号化改善方法を提供することが望まれる。
【課題を解決するための手段】
【０００７】
　本発明は、各請求項により定義される。本発明は、その広義の局面において、露光開口を取り囲む露光支持体を有する本体を有する写真フィルム用カメラを提供する。本体は、エンコーダ光路を画成する。エンコーダは、エンコーダ光路に位置合わせされて本体内に搭載される。エンコーダは、回転軸を有する。エンコーダは、エンコーダ光路の部分を占めるマーカーを有する。マーカーは、対のサブユニットを有する。サブユニットは、前記回転軸に関して対置される。ドライブがエンコーダに結合される。ドライブは、一次位置及び複数の二次位置間で前記回転軸まわりに前記エンコーダを選択的に回転させる。サブユニットは、双方とも、前記位置の全てにおいてエンコーダ内に配置される。
【発明の効果】
【０００８】
　エンコーダが簡易であり、比較的多数の符合を提供することができる、改善型カメラ及び方法が得られる。
【発明を実施するための最良の形態】
【０００９】
　本発明の上述及び他の特徴及び目的並ぶにこれらを実現する態様は、添付図と関連した次の本発明の実施例の説明を参照することによって、より明らかになり、本発明自体もより理解されるだろう。
【００１０】
　カメラ１０は、キャプチャユニット１４を保持する本体１２を有し、キャプチャユニット１４は、写真フィルム１６上に光画像を捕捉する。本体１２は、フロントカバー１８とリアカバー２０、カバー１８、２０の間に保持されるカメラフレーム２２、及び、フィルムドア２１を有する。カメラ１０の通常の構成要素は、カメラフレーム２２に取り付けられるか、カバー１８、２０とカメラフレーム２２との間に閉じ込められる。
【００１１】
　キャプチャユニット１４は、光軸１９を画成しアパーチャ２５及び次いでバッフル２６を介して光を方向付ける撮像レンズ２４を有する。撮像レンズ２４は、１以上のレンズ素子３０を含む。キャプチャユニット１４は、写真を撮影する為に瞬間的に開口するシャッター３４を有するシャッター組立体を含む。ビューファインダ３６は、本体１２に配置され、撮像レンズ２４と位置合わせされて、略同一の風景画像を示す。ビューファインダ３６は、カメラフレーム２２の一部であるトンネル３８、フロント及びリアビューファインダレンズ４０、４２を有する。
【００１２】
　露光支持体２８は、長方形であり、フィルム１６のフレーム４４及び間空部４６（隣接するフィルムフレーム４４間の短いフィルムセグメント）を保持する。露光支持体２８は、長方形の露光開口５０を囲繞する縁部４８を有する。
【００１３】
　フィルムユニット５２のフィルムストリップ１６は、露光支持体２８内に保持される。フィルムストリップ１６は、各画像捕捉に対してフレーム毎に露光支持体２８を通過して進む。カメラ１０は、再利用可能であっても使い捨てであってもよい。示された使い捨てカメラ１０においては、フィルムストリップ１６は、カメラ１０の組み立て中にフィルムロール５６へとフィルムキャニスターから巻き出される。フィルムストリップ１６は、ユーザにより操作される摘まみ歯車のようなフィルム前進機構６０を含むフィルム移送機構５８により前進される。フィルム移送機構５８は、フィルム１６の使用状態を指示するための指示（図示せず）を有する回転カウンター歯車を内蔵する。シャッターリリース６４は、ユーザにより作動させられ、画像露光のためにシャッター３４を開放する。
【００１４】
　用語“使い捨てカメラ”及びその類は、ここでは、消費者に事前に実装された形態で提供され、大幅なカメラの分解や部品の交換、特殊工具の使用無しでは消費者により再実装できないカメラをいう。
【００１５】
　カメラ１０は、エンコーダ６８及びエンコーダドライブ７０を有するエンコーダユニット６６を含む。エンコーダ６８は、露光支持体２８位置のカメラフレーム２２を通って延在する通路７２内に配置される。通路７２は、光源からエンコーダ光路７４の一部若しくは全てに沿って露光支持体２８位置のフィルム１６まで光を送る。エンコーダ６８は、通路７２を、光透過が異なる２つの領域に分ける。光がエンコーダ光路７４に沿って送られるとき、２つの領域の透過の差は、フィルム１６上に符号パターン７６を生成する。エンコーダ６８は、回転軸７８まわりで通路７２内で回転可能であり、符号パターン７６を可変とする。
【００１６】
　エンコーダは、一若しくはそれ以上の場所の通路から差し込まれる内接外周を有することができる。即ち、通路の領域の一では、光は、このエンコーダにより遮られ、他の領域では、光は、エンコーダまわりを通過する。このアプローチは、より大きな光透過の領域の大きさ、及びその形さえも、他方に対して一方が回転する２つの部分の大きさ及び形の関数であるという、欠点がある。
【００１７】
　好ましくは、異なる光透過の２つの領域間の境界８２が、エンコーダ６８のみによって画成される。この場合、エンコーダ６８は、光透過率が異なるマーカー８４及びフィールド８６を有する。マーカー８４は、フィールド８６内に差し込まれる。光は、エンコーダ６８の周囲８０まわりを通過することを阻止される。図示した実施例では、カメラフレーム２２は、フロント部９２に対して、リア部９０で半径が大きい管状壁８８を有する（図５参照）。エンコーダ６８は、ディスク状外形を有し、フロント部９２の肩部に接して（重なり）リア部９０でシールされる。エンコーダ６８は、圧着されるか若しくはリア部９０でエンコーダ６８から後方に不動とされる中空インサート９４により所定位置に保持される。通路７２は、管状壁８８及びインサート９７を含む。
【００１８】
　図３ａに示すカメラでは、光源はランプ９６であり、通路７２は、ランプ９６から露光支持体２８へと連続的に延在する。ランプ９６側の通路７２の端部は、ランプ９６を囲繞するシール若しくは他の光ロック具により光が漏れないように保たれる。従来のランプ９６は、発光ダイオード（LED）である。発光ダイオード若しくは他のランプ９６の照明は、各露光時に発生する。この機能を提供する回路は当業者に周知である。簡易な例では、発光ダイオード若しくは他のランプ９６は、カメラ１０のフラッシュユニット９８の一部として提供されうり、フラッシュユニット９８及びランプ９６は、露光毎に点灯される。更なる簡易化として、ランプ９６は、フラッシュユニット９８のストロボ管１００からの光を導く光パイプ（図示せず）により置換されてよい。
【００１９】
　フラッシュユニット９８から独立したランプ９６の回路は、フラッシュユニット用のような同期接点により動作されてよい。かかる同期接点は、同業者に周知である。ランプ９６の点灯持続時間は、各露光毎に同一であってよく、タイマー回路により決定されてよく、若しくは、カメラマイクロプロセッサ若しくは他の計算装置の時計機能として提供されうる。
【００２０】
　代替実施例では、図３ｂに示すように、風景光が、ランプ９６に代えて使用され、エンコーダ光路７４は、バッフル２６内に設けられる。この場合、光源は、画像捕捉時に撮像レンズ２４を通して入ってくる光の一部である。エンコーダ６８は、自由に配置されてよく、若しくは、露光支持体２８からバッフル２６を介して撮像レンズ２４により伝達される光コーンまで延びる短い通路７２内に配置されてよい。通路７２及びエンコーダは、他の点では上述のようなものである。このカメラは、通路をカメラ本体の外部まで延ばし、専用シャッター（図示せず）を追加することによって変形されうる。
【００２１】
　エンコーダ６８は、露光支持体２８と位置合わせされ、露光支持体２８と撮像レンズ２４の間、若しくは、露光支持体２８とリアカバー２０との間に配置される。後者の場合、光は、ランプ、光パイプ若しくは他の光源により供給されなければならない。前者が現在のところ好ましく、というのは、フィルムストリップ１６が、両面で同等な透過性を有さず、一般的に入手可能な写真フィルムが、反対側にオレンジハレーション防止層を有するからである。
【００２２】
　エンコーダ６８及び露光支持体２８により画成されるフィルム面のアラインメントは、比較的正確であってよく、フィルムストリップ１６及びエンコーダ６８が略平行になるようにする。或いは、エンコーダ６８は、僅かにオフセットされてもよい。特別な実施例では、エンコーダ６８は、1若しくは２つの直交方向で、露光支持体２８内のフィルムストリップ１６と平行である。前者は、フィルムストリップ１６が、簡易な単一の要素撮像レンズ２４の形状を吸収するために一次元で湾曲している場合である。他の場合では、フィルムストリップ１６は、露光支持体２８内で平らに保たれ、エンコーダ６８は、平行な面内に配置される。
【００２３】
　ユーザが写真をとるとき、通路７２に沿って伝搬される光は、各々のフィルムフレーム４４に関連するフィルム１６上に符合パターン７６を露光する。（特に言及しない限り、カメラは、単一の符合パターン７６が各フィルムフレーム４４に対して露光される、実施例の観点から議論される。）特別な符合パターン７６が、１若しくはそれ以上のフィルムフレームからオフセットされているのでなく、各々のフィルムフレーム４４に隣接する場合が好都合である。というのは、これにより、フィルムフレーム及び各々の符合パターンの分離がなく、フィルムストリップを短い長さに切ることが可能となるからである。
【００２４】
　符合パターン７６は、各々のフィルムフレーム４４に重なってよいが、画像コンテンツを劣化させない。好ましくは、符合パターン７６は、フィルム１６の余白７９上に、若しくは、フィルムフレーム４４間の隙間４６内に配置される。これは、図１１に最もよく示されており、ここでは、フィルムストリップ１６の下側の余白７９上に符合パターン７６が配置されるように配置されたエンコーダ６８が示されている。破線の円１０２は、フィルムフレーム４４間の隙間４６上の代替的なエンコーダ６８の位置を示す。このエンコーダ６８は、破線の円で示すように、より小型であるが、図１１に示す他のエンコーダ６８とその他の点は同様である。
【００２５】
　エンコーダ６８は、エンコーダ６８の回転軸７８に対して回転位置が異なる符合パターン７６のセットを提供するように回転されてよい。異なる符合パターン７６は、フィルム現像に続き、写真仕上げ中に検出されてよい。各符号パターン７６は、プリント若しくは他の最終画像の数及び種類、デジタル画像修正等のような、異なる実行オプションに関連付けられてよい。ユーザは、望む場合には、特定のエンコーダ６８の利用可能な符合パターン７６のセットの範囲内で、フレーム毎に符合パターン７６を変更することができる。特定フィルムフレーム４４に関連付けられた符合パターン７６は、当該特定フィルムフレームに対する実行オプションを指示しうり、若しくは、フィルムフレームの集合若しくは全体のフィルムユニットに対するオプションを指示することもできる。後者の場合、符合パターン７６は、オプションが変更されるときだけか、若しくはフィルムユニットにつき一回きり、フィルム上に露光されうる。異なるカメラ１０のエンコーダ６８は、異なりうる。この相違は、カメラ種類、実行オプションの複数セットのどのセットが写真仕上げで提供されるべきかのような、情報を伝達する為に使用されうる。
【００２６】
　マーカー８４は、エンコーダ６８の回転軸７８の反対側に対のサブユニット１０４を有する。サブユニット１０４の相対的離隔は、図示した実施例で示すように、サブユニット１０４が回転軸７８の両側に正反対に配置された場合に、最大となる。サブユニット１０４の相対的離隔が増加すると、所与のスキャナにより区別できるエンコーダ６８の角度位置の数が増加する。
【００２７】
　マーカー８４は、エンコーダ６８の回転軸７８に対して回転的に非対称であり、符合パターン７６は、非対称性を保つ。換言すると、２つのサブユニット１０４は、異なる構成及び／又は色を有する。これにより、各サブユニット１０４の相対位置が、符合パターン７６において区別できるようになる。その結果、エンコーダ６８は、互いに区別できる１８０度間隔で配置できる。異なる構成のサブユニット１０４の使用は、事実上、パターンの全体大きさを２倍にする。
【００２８】
　広範な種類の異なる構成が、写真仕上げ中の走査がエンコーダ画像の画素化を産む限り、異なるサブユニット１０４に対して選択されうる。画素化の結果として失われるサブユニット１０４の差は、有用でない。
【００２９】
　２つのサブユニット１０４間の差は、異なる色若しくは異なる図形的構成又はその双方を付与することによって実現されてよい。２つの色付きマーカー８４を有するエンコーダ６８の簡易な例は、図６ａ−６ｂに示されている。エンコーダ６８は、不透明な基部１０６を有し、一方の側で非対称的に配置された突起により減ぜられる円形シリンダのような形状のキャビティ１０８を有する。フィルタ部１１０は、２つの異なる色の領域（図６ｂにおいて、破線のハッチングにて指示）を有する。フィルタ部１１０は、キャビティ１０８のような形状であり、接着剤や圧着等によりキャビティ１０８内で不動とされる。マーカー８４のサブユニット１０４は、それぞれ、基部１０６内の穴により形成され、フィルタ部１１０の領域の下方にある。
【００３０】
　特別な実施例では、マーカー８４は、複数の離間したサブユニット１０４を有し、フィールド８６は、各サブユニット１０４を囲繞する。この及び他の実施例のフィールド８６は、コントラスト化フィルタであってよいが、好ましくはフィールドは光を遮る。これは、フィルム１６上のエンコーダ画像を提供し、そこでは、マーカー８４により生成される複数の光領域が、光遮断フィールド８６によって生成される暗い領域によりそれぞれ囲繞される。これは、コントラストの増加を提供することで、特に、エンコーダ６８に対する照明を供給するために周囲光が使用された場合、有用である。
【００３１】
　本発明の特別の実施例では、２つのサブユニット１０４の一方は、予測される写真仕上げで使用されるスキャナ１２６の画素単位（図１２−１６でグリッド１２４にて指示）で他方よりも小さい。最小時、２つのサブユニット１０４の小さい方は、予測される写真仕上げで使用されるスキャナの画素間の隙間よりも大きいが、単一の画素上に適合するのに十分小さく、大きい方のサブユニット１０４は、２つの画素より少ない画素上に適合できないほど大きい。
【００３２】
　サブユニット１０４のより大きなサイズにより、一方若しくは双方のサブユニット１０４の特別な図形的形状が、２つのサブユニット１０４を識別する為に使用できる。例えば、サブユニット１０４の異なる形状及び色を有する多数のエンコーダ６８が図２４ａ−２４ｏに示されている。異なる斜線ハッチングパターンは、異なる色を示す。黒で示された領域は、白色光の露光を示す。
【００３３】
　エンコーダ６８は、２若しくはそれ以上の異なる所定位置間でユーザにより選択的に可動である。所期の写真仕上げユニット１２８では、種々の位置で生成された符合パターン７６は、特定のデジタル修正と関連付けられる。多数の異なる位置が提供されうる。ここでの制限は、特定位置にあるノブ１１４若しくは他のユーザコントローラの配置を検出するユーザの能力、及び、ノブの位置に対応した角度を検出するスキャナの能力である。前者は、ギア若しくはその類を用いて位置間の距離を段階的に大きくすることによって機械的に容易に解決できる。電子コントローラも、手動により容易に得られる数よりも多くのエンコーダ位置を提供するために使用できる。如何なる状況においても、８若しくはそれ以上の位置を提供するのは非常に容易である。現在利用可能な写真仕上げスキャナによると、７２若しくはそれ以上の位置が容易に走査中に検出できる。
【００３４】
　エンコーダ６８は、エンコーダドライブ７０により位置間で回転される。ドライブ７０は、手動で駆動できる。図に示す実施例では、エンコーダ６８は、トレイン１１２により回転される。トレイン１１２の部材１１２ａは、摩擦車若しくはギアである。部材１１２ａの一は、ユーザにより回転される外部のノブ１１４に連結されるシャフト１１４を有する。シャフト１１４は、カメラフレーム２２の穴及びワッシャー１１８を通って延在し、リアカバー２０を通ってノブ１１４に至る。この場合、エンコーダ６８及びトレイン１１２は、露光支持体２８とフロントカバー１８の間に配置される。エンコーダ６８及びトレイン部材１１２ａは、カメラフレーム２２の支持部により保持される。ノブ１１４は、選択された位置を示すポインター１１６を含む。指示１１７が、特定位置に関連したデジタル効果を指示するためにカメラ本体１２上に提供されてもよい。図示の実施例では、ノブ１１４及びトレイン１１２のトレイン部材１１２ａは、重なり、軽く係合する。軽い係合は、他の態様で同様に提供されてよい。
【００３５】
　図１８ａを参照するに、エンコーダドライブ７０は、電気モータ１２０により駆動されてよい。ユーザは、カメラ１０内のプログラム可能なコンピューター１２２を介して、モータ１２０に接続されるスイッチ若しくはユーザコントローラを介してエンコーダドライブ７０を操作できる。電動エンコーダ６８の位置付けは、ズームレンズの位置付けと同様の態様で提供されてよい。例えば、ステップモータが使用されてよく、若しくは、代替的に、フィードバックが、特定位置に達したときを指示するために使用されうる。回転エンコーダに結合される摩擦ディスク若しくはギアは、フィードバックを提供するためにコードプレート（図示せず）若しくはその類を有してよい。
【００３６】
　電動エンコーダドライブ７０は、カメラ１０の制御システム１２２によって、電動フィルム移送機構５８と協働して、複数のコード化信号がフィルムストリップ１６の余白７９に記録されるようにしてよい。プログラム可能なマイクロプロセッサ等に基づく、カメラ動作に対する適切な制御システムは、当業者に広く知られている。符合パターン７６のシーケンスは、フィルム移送機構５８及びランプ９６の照明を協調させることによって、各カメラフレーム２２で露光されてよい。例えば、図１８ａ及び図１８ｂでは、エンコーダドライブ７０は、８つの異なる回転位置間でエンコーダ６８を動かし、８進数の０−７に対応する８つの符合パターン７６を提供する。数は、北０から始まり、北東１、西２、シーケンスの残りを介して連続する、コンパス位置に対応する。図１８ｂは、８進数で１５７３６を割り当てる、単一のフィルムフレーム４４の横に並んだ、符合パターン７６のセットを示す。この５桁の数は、写真が取られた日を表わしうる。
【００３７】
　符合パターン７６により供給される異なるコードは、写真仕上げ時の修正を提供するために使用できる。例えば、修正は、選択された数にプリント数を変更するために提供されうる。符合パターンは、白黒若しくはセピア色のような、画像の変化を提供できる。符合パターンは、また、プリントフォーマットの変更を提供できる。例えば、プリントは、通常のフォーマットから疑似パノラマ若しくは疑似ズームに変更できる。この場合、カメラは、エンコーダ６８と連係して移動されるビューファインダマスク１３０を有することができる。図１９−２３は、ビューファインダマスク１３０は、２つの位置を有し、撮像レンズ２４まわりを回転する。ビューファインダマスク１３０は、エンコーダユニット６６のトレイン１１２に機械的に結合されるマスクギアトレイン１３２により駆動される。図１９に示す実施例では、アクスル１３４は、２つのトレイン１３２，１１２を接続する。マスクギアトレイン１３２の一のギア若しくは摩擦車１３２ａは、フロントカバー１８の外部であり、マスク１３０に直接的に係合する。
【００３８】
　回転止めは、マスク及びエンコーダを付勢するために提供されてよい。例えば、オーバーセンター機構（図示せず）は、特定位置に向かって中間位置に抗して付勢するために、エンコーダユニット、マスク若しくは一のトレインに接続されてよい。オーバーセンター機構の代替は、マスク設定に対する一例の位置の回転止めである。これは、図１９−２０に示されている。この場合、マスク１３０のハンドル１３８は、前パネル１３６のスロット１３５を通って延びる。スロット１３５は、弓状であり、マスク１３０の異なる位置を画成する歯を有する。ハンドル１３８内の内部付勢は、歯によって定まるマスク位置のそれぞれからのハンドル１３８の不用意な移動を防止する。マスク位置は、エンコーダの各々の位置と連携されて、ユーザが、捕捉した画像の所期のデジタル修正の指示を見れるようにする。回転止めは、また、接続されたビューファインダマスク１３０を有さないエンコーダ６８に設けられてもよい。
【００３９】
　図１９−２３の実施例では、マスクは、撮像レンズ２４を取り囲む延長カウル１４２に接して回る大型の円形開口１４０を有する。前パネル１３６は、マスク開口１４０に適合する第１の開口１４４、及び、ビューファインダ３６に適合する第２の開口１４６を有する。ビューファインダ３６及び前パネル開口１４６は、“ＨＤＴＶ”プリントフォーマットビューファインダ画像を示す。マスク１３０は、ビューファインダを通常比３：２及び疑似パノラマプリントフォーマットまでそれぞれマスクする２つのマスク窓１４８，１５０を有する。（これらのフォーマットは、幾つかの新写真システム（ＡＰＳ）カメラで利用可能なものに対応する。）マスク１３０は、３つの位置間で回転される。ストッパ１５２は、マスク１３０の行き過ぎを防止する。
【００４０】
　カメラは、簡易化された実施例に関連してここでは説明される。同様の議論は他の実施例にも適用される。例えば、カメラは、特定の効果を示すためにマスクを設けるのに代って、真の画像ビューファインダを含んでよい。カメラは、また、特定の効果を表示することができるデジタルディスプレイ及び／又はデジタルビューファインダを含んでよい。符合パターンは、個々のフィルムフレームに関して言及される。符合パターンは、ＩＤ番号やユーザ情報のような、全体のフィルムユニットに関連した情報を記録してよい。符合パターンは、また、例えばフィルムユニットの先頭若しくは後尾のような、フィルムフレームに独立して配置されてもよい。
【００４１】
　図１７は、プリント１５４若しくは他の最終画像を、フィルムストリップ１６の連続したフィルムフレーム４４に記録された永久保存の画像から作成する写真仕上げユニット１２８を概略的に示す。フィルムストリップ上の潜在画像を現像するのに使用される化学処理器は示されていない。写真仕上げユニット１２８は、１９９８年６月１６日に発行された米国特許第５,７６７，９４５号に開示されるようなものであってよい。電動式フレームドライブ１５６は、フィルム供給リールからフィルムストリップ１６を、デジタルスキャナ１２６を介してフィルム巻き取りリール（図示せず）上へと進める。多くのフィルムユニットからのフィルムストリップは、フィルム供給リール上の連続ウェブへと接合されてもよい。スキャナ１５６は、フィルムフレーム４４を通して画像スキャナヘッド１６０へと、及び、符合パターン（図１７では図示せず）を通してエンコーダスキャナヘッド１６２へと光を方向付ける。照明器１５８は、フィルムフレームがスキャナ位置に瞬間的に位置するときに各フィルムフレーム及び符合パターンを通して光を当てる。スキャナヘッド１６０，１６２は、それぞれ、電荷結合素子（ＣＣＤ）のような画像センサを有する。画像センサにより供給される最終のアナログ電子画像は、Ａ／Ｄコンバータ（図示せず）により、デジタル形式に変換され、必要に応じて増幅され、コントロールユニット１６４に送られる。
【００４２】
　コントロールユニット１６４は、プログラム可能なコンピューター若しくはその類であり、電子画像の従来的なデジタル画像処理を行う。コントロールユニット１６４は、検出した符合パターンを、メモリに局所的若しくは遠隔的に記憶されたルックアップテーブル等を用いて、符合パターンの所定のリスト及び対応するデジタル修正に対してチェックする。各々のデジタル修正は、電子画像に適用され、最終の修正画像が、プリンタ１６６のような出力装置に出力される。
【００４３】
　コントロールユニットは、汎用コンピューターシステムの一部であってよく、若しくは、写真仕上げ装置の専用部であってよい。後者の場合、中央処理ユニットは、画像データマネージャ（ＩＤＭ）としばしば称されるコントロールシステムの一部であってよい。コンピューターシステム若しくはＩＤＭは、メモリを含み、また、操作者による指揮及び介入を可能とするディスプレイ及びユーザコントローラを含んでよい。
【００４４】
　カメラ１０は、ここでは簡易化された実施例に関連して説明される。同様の議論が他の実施例にも適用される。例えば、カメラ１０は、特定の効果を示すためにマスクを設けるのに代って、真の画像ビューファインダを含んでよい。カメラ１０は、また、特定の効果を表示することができるデジタルディスプレイ及び／又はデジタルビューファインダを含んでよい。符合パターン７６は、個々のフィルムフレーム４４に関して言及される。符合パターン７６は、ＩＤ番号やユーザ情報のような、全体のフィルムユニット５２に関連した情報を記録してよい。符合パターン７６は、また、例えばフィルムユニット５２の先頭若しくは後尾のような、フィルムフレーム４４に独立して配置されてもよい。
【００４５】
　本発明は、好ましい実施例を明らかにする為に特定の参照により詳細に説明されているが、種々の変形や修正が、本発明の精神及び範囲内で可能であることは理解されるべきである。
【００４６】
　　［本発明の他の特徴］
　他の特徴は、次の通り、連番を付した付記として示す。
付記１．露光開口を取り囲む露光支持体を有し、エンコーダ光路を画成する本体と、
　本体に前記エンコーダ光路に対して整合して搭載されるエンコーダであって、回転軸を有し、前記エンコーダ光路の一部を占有するマーカーを有し、該マーカーが、前記回転軸を基準に対向する対のサブユニットを有する、エンコーダと、
　前記エンコーダに結合され、一次位置及び複数の二次位置間で前記回転軸まわりに前記エンコーダを選択的に回転させるドライブとを含み、全ての前記位置において、前記サブユニットの双方が前記エンコーダ光路に配置される、写真フィルム用カメラ。
付記２．前記サブユニットが、前記回転軸に対して正反対に対置される、付記１記載の写真フィルム用カメラ。
付記３．前記サブユニットが、前記回転軸から離間して前記回転軸に対して正反対に対置される、付記１記載の写真フィルム用カメラ。
付記４．前記マーカーは、回転軸に対して回転的に非対称である、付記３記載の写真フィルム用カメラ。
付記５．前記エンコーダが、前記マーカーに隣接するフィールドを有し、該フィールドが、光を遮断し、該マーカーは、少なくとも部分的に光透過性がある、付記４記載の写真フィルム用カメラ。
付記６．前記フィールドは、前記マーカーを囲繞する、付記５記載の写真フィルム用カメラ。
付記７．前記サブユニットは、互いに離間し、前記フィールドは、前記サブユニットのそれぞれを囲繞する、付記５記載の写真フィルム用カメラ。
付記８．前記サブユニットのそれぞれには、異なる色が付けられている、付記１記載の写真フィルム用カメラ。
付記９．前記エンコーダとは反対側の前記エンコーダ光路内に白色ダイオードを更に含む、付記８記載の写真フィルム用カメラ。
付記１０．前記サブユニットのそれぞれは、異なる図形的な構成を有する、付記８記載の写真フィルム用カメラ。
付記１１．前記サブユニットのそれぞれは、異なる図形的な構成を有する、付記１記載の写真フィルム用カメラ。
付記１２．前記露光支持体に光を方向付ける撮像レンズを更に含み、前記エンコーダが、前記撮像レンズと前記露光支持体との間に配設される、付記１記載の写真フィルム用カメラ。
付記１３．前記エンコーダは、前記露光開口の側方で前記露光支持体に隣接する、付記１記載の写真フィルム用カメラ。
付記１４．前記エンコーダは、前記一次位置及び少なくとも７つの二次位置間で回転可能である、付記１記載の写真フィルム用カメラ。
付記１５．前記フィルムを前記露光支持体を通過させてフレーム毎に移動させるフィルム移送機構と、前記エンコーダ光路の端部に配置されるランプと、前記フィルムの移動中に前記ランプを作動させるコントローラとを更に含む、付記１記載の写真フィルム用カメラ。
付記１６．前記ドライブは、前記コントローラにより作動されるモータを含む、付記１５記載の写真フィルム用カメラ。
付記１７．縁部が露光開口を取り囲む露光支持体を有するフィルムホルダーを有し、前記縁部と交わるエンコーダ光路を有する本体と、
　前記縁部に配置されるエンコーダであって、回転軸を有し、マーカー及びこれに隣接するフィールドを有し、該マーカーが、対置され前記回転軸に関して回転非対称である対のサブユニットを有し、前記サブユニットの双方が、前記エンコーダ光路に連続的に配置される、エンコーダと、
　前記本体に配置されるドライブであって、複数の異なる位置の何れかへと、 前記露光支持体に対して、前記回転軸まわりに前記エンコーダを選択的に回転させるドライブと、を含むカメラ。
付記１８．前記マーカーは、前記露光開口から外側に平行に延びる方向で、前記縁部の幅よりも小さい、付記１７記載のカメラ。
付記１９．前記エンコーダは、前記露光開口に横方向で隣接する、付記１８記載のカメラ。
付記２０．写真フィルムのフレームに露光開口を通して光画像を送り、
　前記光画像を送るのに関連して、エンコーダの回転軸に対して回転非対称であるマーカーを有するエンコーダを、エンコーダの回転軸に対する選択した角度位置まで回転させ、
　前記回転に後続して、写真フィルムに前記マーカーを通して光を送り、
　前記マーカーを通して光を送る間、前記エンコーダを前記角度位置に維持する、撮影方法。
付記２１．前記光は、前記エンコーダを介して前記フィルムフレームに隣接する隙間に送られる、付記２０記載の方法。
付記２２．前記エンコーダは、対の異なる構成のサブユニットを有する光伝達部を有し、該サブユニットは、前記回転軸に対して正反対に対置されている、付記２１記載の方法。
【図面の簡単な説明】
【００４７】
【図１】カメラの一実施例の背面からの斜視図である。
【図２】図１のカメラの分解斜視図である。
【図３ａ】明瞭化のためにフロントカバーが取り外された状態の、図１のライン３−３に沿って切断された際の、図１のカメラの縦断面図である。
【図３ｂ】カメラの変形例に対する図３ａに相当する図である。
【図４】図１のライン４−４に沿って切断された際の、カメラの横断面図である。
【図５】図１のライン５−５に沿って切断された際の、カメラの横断面図である。
【図６ａ】図１のカメラのエンコーダ組立体の斜視図である。
【図６ｂ】図１のカメラのエンコーダの背面図である。
【図７】第１の回転位置のエンコーダ組立体のエンコーダを示す、図６のエンコーダ組立体を軸方向に見た図である。
【図８】他の軸位置でのエンコーダを示す、図７と同一視の図である。
【図９】他の軸位置でのエンコーダを示す、図７と同一視の図である。
【図１０】他の軸位置でのエンコーダを示す、図７と同一視の図である。
【図１１】フィルムストリップの一部（図８中実線で示される）が露光支持体内の位置にあり、露光支持体の位置が破線で示され、代替位置及び大きさのエンコーダが破線で示されている、カメラの露光支持体上の位置での図４のエンコーダ組立体の半概略図である。
【図１２】どのようにしてスキャナにより読み取られるかを示すためマスクパターンが画素化されている、フィルムフレームに隣接するマスクパターンと共に図１１のフィルムストリップを示す半概略図である。
【図１３】エンコーダの異なる位置に対応するマスクパターンを示す、図１２の図の部分的な拡大図である。
【図１４】エンコーダの異なる位置に対応するマスクパターンを示す、図１２の図の部分的な拡大図である。
【図１５】エンコーダの異なる位置に対応するマスクパターンを示す、図１２の図の部分的な拡大図である。
【図１６】エンコーダの異なる位置に対応するマスクパターンを示す、図１２の図の部分的な拡大図である。
【図１７】写真仕上げユニットの一実施例を斜視で示す半概略図である。
【図１８ａ】カメラのその他の実施例のエンコーダ組立体及び関連カメラ特徴を示す半概略図である。
【図１８ｂ】図１８ａのカメラを用いて露光されたフィルムストリップの一部を示す半概略図である。
【図１９】ギアトレイン及び接続シャフトの位置が破線で示された、カメラのその他の実施例を示す部分分解斜視図である。
【図２０】図１９のカメラの前から斜視図である。
【図２１】ギアトレインのギア、対のストッパ及びビューファインダレンズユニットの位置（破線）も示されている、エンコーダの異なる位置に対応した向きでの、図１９のカメラのビューファインダマスクの前面図である。
【図２２】ギアトレインのギア、対のストッパ及びビューファインダレンズユニットの位置（破線）も示されている、エンコーダの異なる位置に対応した向きでの、図１９のカメラのビューファインダマスクの前面図である。
【図２３】ギアトレインのギア、対のストッパ及びビューファインダレンズユニットの位置（破線）も示されている、エンコーダの異なる位置に対応した向きでの、図１９のカメラのビューファインダマスクの前面図である。
【図２４】ａ−ｏは異なる符合パターンの例を示す図である。
【符号の説明】
【００４８】
　１０　　カメラ
　１２　　本体
　１８　　フロントカバー
　２０　　リアカバー
　３６　　ビューファインダ
　６０　　フィルム前進機構
　６４　　シャッターリリース
　６６　　エンコーダユニット
　１１４　　ノブ
　１１６　　ポインター
　１１７　　指示
【図１】
2004133466.tif 000003
【図２】
2004133466.tif 000004
【図３ａ】
2004133466.tif 000005
【図３ｂ】
2004133466.tif 000006
【図４】
2004133466.tif 000007
【図５】
2004133466.tif 000008
【図６ａ】
2004133466.tif 000009
【図６ｂ】
2004133466.tif 000010
【図７】
2004133466.tif 000011
【図８】
2004133466.tif 000012
【図９】
2004133466.tif 000013
【図１０】
2004133466.tif 000014
【図１１】
2004133466.tif 000015
【図１２】
2004133466.tif 000016
【図１３】
2004133466.tif 000017
【図１４】
2004133466.tif 000018
【図１５】
2004133466.tif 000019
【図１６】
2004133466.tif 000020
【図１７】
2004133466.tif 000021
【図１８ａ】
2004133466.tif 000022
【図１８ｂ】
2004133466.tif 000023
【図１９】
2004133466.tif 000024
【図２０】
2004133466.tif 000025
【図２１】
2004133466.tif 000026
【図２２】
2004133466.tif 000027
【図２３】
2004133466.tif 000028
【図２４】
2004133466.tif 000029